(57)【特許請求の範囲】
【請求項１】
ファクシミリとして機能するためのファクシミリモードと、接続されたパーソナルコンピュータのファクシリミモデムとして機能するためのファクシミリモデムモードとを有したファクシミリ装置であって、
ユーザーによる操作入力が行われたか否かを監視する監視手段と、
この監視手段により、操作入力を検出しない状態が一定時間継続したとき、ファクシミリモデムモードに設定する第１のモード設定手段と、
前記監視手段により、操作入力を検出したら直ちにファクシミリモードに設定する第２のモード設定手段と、
を備えたファクシミリ装置。
【請求項２】
電源投入後、前記第２のモード設定手段はファクシミリモードに設定することを特徴とする請求項１記載のファクシミリ装置。
【発明の詳細な説明】
【０００１】
【発明の属する技術分野】
本発明はパーソナルコンピュータと接続されたファクシミリ装置に関する。
【０００２】
【従来の技術】
パーソナルコンピュータにファクシミリモデムを接続することにより公衆回線と接続可能となり、公衆回線に接続されたファクシミリ装置やパーソナルコンピュータと通信することができる。パーソナルコンピュータとファクシミリ装置が手元にある場合、パーソナルコンピュータのデータをファクシミリ装置のプリンタで出力させたり、ファクシミリ装置のスキャナで読み取ったデータをパーソナルコンピュータに送出することにより、パーソナルコンピュータはファクシミリ装置のプリンタとスキャナを利用することができる。しかしパーソナルコンピュータとファクシミリ装置を結ぶのに公衆回線を用いるのは費用がかかるので、公衆回線を模擬した回線エミュレータを用いて接続する。
【０００３】
図６はパーソナルコンピュータとファクシミリ装置を接続する方法を説明する図である。パーソナルコンピュータ１はファクシミリモデム４を介し、切換えスイッチ５により公衆回線３に接続し、外部のファクシミリ装置８またはファクシミリモデムと接続された他のパーソナルコンピュータと通信する。またファクシミリ装置６も切換スイッチ５により公衆回線３に接続する。パーソナルコンピュータ１はファクシミリモデム４と回線エミュレータ７を介し、ファクシミリ装置６と接続し、ファクシミリ装置６のプリンタやスキャナを利用する。
【０００４】
しかし、ファクシミリモデムとファクシミリ装置は共通の機能が多く、回線エミュレータもソフトで実現できることから、ファクシミリモデムと回線エミュレータを組み込んだファクシミリモデム機能を有するファクシミリ装置が製作され、このファクシミリ装置をパーソナルコンピュータと接続したセットはＰＣ−ＦＡＸと通称されている。このファクシミリ装置は公衆回線と接続し、通常のファクシミリとして動作する以外に、パーソナルコンピュータの、ファクシミリモデムおよびプリンタとスキャナとして働く。
【０００５】
このためこのファクシミリモデム機能を有するファクシミリ装置は、通常のファクシミリとして働くＦＡＸモードと、パーソナルコンピュータのファクシミリモデムとして働くＦＡＸモデムモードの切り換えが必要であり、ＦＡＸモデムモードの場合は、さらにプリンタとスキャナのいずれで動作するかの指示が必要である。
【０００６】
特開平７−２５０２００号公報には、ファクシミリ装置に設けられた特定キーにより、ＦＡＸモードとＦＡＸモデムモードの切り換えを行い、ＦＡＸモデムモードの場合、パーソナルコンピュータからの制御信号により、スキャナまたはプリンタとして使用するかを指示する方法が開示されている。
【０００７】
【発明が解決しようとする課題】
ファクシミリモデム機能を有するファクシミリ装置をＦＡＸモードとＦＡＸモデムモードに切り換える場合、特定キーなどによる切り換えが必要であり、ファクシミリ装置をパーソナルコンピュータのプリンタやスキャナとして使用する場合には、さらに制御信号による指示が必要とされていた。
【０００８】
本発明は、上述の問題点に鑑みてなされたもので、ファクシミリモデム機能を有するファクシミリ装置のＦＡＸモードとＦＡＸモデムモードの切り換えや、ＦＡＸモデムモードでのプリンタやスキャナ動作の指示を簡単にし、また誤りのないようにすることを目的とする。
【０００９】
【課題を解決するための手段】
本発明のファクシミリ装置においては、ファクシミリの操作パネルに入力があるか監視し、入力があった場合はファクシミリとして機能し、入力を検出しない状態ではファクシミリモデムとして機能する。
この発明によれば、特定のキーを設けてモードを切り換える必要がなく、操作者に使いよい装置となる。
【００１０】
【発明の実施の形態】
請求項１の発明では、ファクシミリとして機能するためのファクシミリモードと、接続されたパーソナルコンピュータのファクシリミモデムとして機能するためのファクシミリモデムモードとを有したファクシミリ装置であって、ユーザーによる操作入力が行われたか否かを監視する監視手段と、この監視手段により、操作入力を検出しない状態が一定時間継続したとき、ファクシミリモデムモードに設定する第１のモード設定手段と、前記監視手段により、操作入力を検出したら直ちにファクシミリモードに設定する第２のモード設定手段と、を備える。
【００１１】
これによって、ファクシミリモードで一定時間ユーザーによる操作入力が行われなければ自動的にファクシミリモデムモードに切り替わり、ファクシミリモデムモードでもユーザーによる操作入力が行われれば自動的にファクシミリモードに切り替わる。
【００１２】
請求項２の発明では、電源投入後、前記第２のモード設定手段はファクシミリモードに設定する。
【００１３】
これによって、電源投入後にファクシミリモードに設定され、一定時間ユーザーによる操作入力が行われなければ自動的にファクシミリモデムモードに切り替えられる。
【００２０】
以下、本発明の実施の形態について図面を参照して説明する。
図１は本発明を実施するファクシミリ装置の構成を示すブロック図である。ファクシミリ装置２はパーソナルコンピュータ１と接続され、さらに公衆回線３と接続されている。ファクシミリ装置２には、ＣＰＵ２１が設けられプログラムに従って装置全体を制御する。ＲＯＭ／ＲＡＭ２２では、ＲＯＭにはファクシミリ、ファクシミリモデム、回路エミュレータとして機能するプログラム等が記憶されており、ＲＡＭはこれらのプログラムを読み出して記憶すると共にＣＰＵ２１の作業エクアとなる。操作パネル部２３は表示パネルとタッチキーが設けられ、操作者がタッチキーより指示を入力すると表示パネルに表示され、またファクシミリ装置からの指示等が表示パネルに表示される。
【００２１】
モデム２４は送出するデータを変調し、受信したデータの復調をする。ＰＣインタフェース２５はパーソナルコンピュータ１との取り合いを制御するもので、ＲＣ−２３２Ｃインタフェースが用いられる。メカ制御部２６は原稿搬送用モータなどの機械部分の制御を行う。読取部２７はスキャナにより原稿の読み取りを行い、記録部２８は受信した電文やパーソナルコンピュータ１から送られてきたデータの印刷を行う。
【００２２】
以上のように構成されたファクシミリ装置の動作を説明する。
図２は第１実施の形態の動作フロー図である。操作パネル部２３に入力されるかを常時監視し（Ｓ１）、入力があるとパーソナルコンピュータ１への転送指示かを調べ（Ｓ２）、転送指示でない場合、ファクシミリ動作であるとしてＦＡＸモードに切り替える（Ｓ３）。なお、通常はＦＡＸモデムモードとし、パーソナルコンピュータ１により公衆回線３を利用してファクシミリ送信、パソコン通信ができるようになっている。
【００２３】
入力がパーソナルコンピュータ１への転送指示である場合は、パーソナルコンピュータ１がデータ受け入れ準備ができていることを示す「ＤＴＲ」がオンになっているから調べ（Ｓ４）、オンになっていなければ転送指示は誤りであったとして終了する（Ｓ５）。「ＤＴＲ」がオンになっていれば、パーソナルコンピュータ１にベルを鳴らす旨の制御信号「ＲＩＮＧ」を送出する（Ｓ５）。「ＲＩＮＧ」に対する応答信号「ＡＴＡ」がパーソナルコンピュータ１から送出されてきたかを監視し（Ｓ６）、無応答であれば（Ｓ７）、エラーとして終了する。「ＡＴＡ」が入力されると、読取部２７に設定された原稿を読み取り、符号化してパーソナルコンピュータ１へ出力する（Ｓ８）。これを原稿が無くなるまで、ステップＳ８を繰り返す（Ｓ９）。全ての原稿を送出すると正常に終了し、切断する旨を示す制御信号「＋ＦＨＳ：００」と「ＯＫ」信号をパーソナルコンピュータ１に送出する（Ｓ１０）。
【００２４】
以上により、通常はＦＡＸモデムモードであり、操作パネル部２３にパーソナルコンピュータへの転送指示が入力されると、読取部２７の原稿を読み取ってパーソナルコンピュータ１へ転送する。操作者が転送指示だけで、読み取った原稿をパーソナルコンピュータ１へ転送することができる。これによりパーソナルコンピュータ１はファクシミリ装置２のスキャナ機能を利用することができる。
【００２５】
次に第２実施の形態を図３の動作フロー図により説明する。
操作パネル部２３からの入力があるか、監視し（Ｓ１１）、入力されると、それがファクシミリ装置２自身の電話番号であるか調べ（Ｓ１２）、そうでない場合、ＦＡＸモデムモードからＦＡＸモードに切り替え、ファクシミリ動作を行う（Ｓ１３）。自身の電話番号である場合は、図２のステップＳ４につながり、読取部２７の原稿を読み取ってパーソナルコンピュータ１へ転送する。
【００２６】
本実施の形態は、操作パネル部２３より自身の電話番号を入力することにより、読取部２７の原稿を読み取り、パーソナルコンピュータ１に転送することができる。また、自身の電話番号以外の入力をするとＦＡＸモデムモードからＦＡＸモードに切り替える。なお、自身の電話番号を入力するという特異な処理であるため、他の動作と誤って判定することがなく、パーソナルコンピュータ１へ確実に転送される。
【００２７】
次に第３実施の形態を図４の動作フロー図により説明する。
まずオンでＦＡＸモデムモードとなる「ＤＳＲ」をオフにしてＦＡＸモードとし（Ｓ２０）、ガードタイマーをセットする（Ｓ２１）。操作パネル部２３から入力があるか監視し（Ｓ２２）、入力があれば「ＤＳＲ」をオフにする（Ｓ２３）。この場合既にオフになっていればそのままとし、オンとなっているときはオフにする。これによりＦＡＸモードに切り替わっているので、ファクシミリとして動作する（Ｓ２４）。また操作パネル部２３より入力がない場合、ガードタイマーがタイムアウトするまでは、入力を待ち、その間入力があればＦＡＸモードで（Ｓ２３）、ファクシミリとして動作する（Ｓ２４）。このようにして、ファクシミリ装置に電源投入時から一定期間はＦＡＸモードとしてファクシミリ動作をすることができる。
【００２８】
ガードタイマーがタイムアウトしたときは（Ｓ２５）、「ＤＳＲ」をオンとしてＦＡＸモデムモードに切り替え（Ｓ２６）、パーソナルコンピュータ１から入力があれば（Ｓ２７）、ＦＡＸモデムとして動作する（Ｓ２８）。入力がない場合は、「ＤＳＲ」オンの状態、つまりＦＡＸモデムモードの状態で待機し、操作パネル部２３から入力があれば（Ｓ２２）、「ＤＳＲ」をオフにしてＦＡＸモードとなり（Ｓ２３）、ファクシミリとして動作し（Ｓ２４）、パーソナルコンピュータ１から入力があれば（Ｓ２７）、ＦＡＸモデムとして動作する（Ｓ２８）。
【００２９】
本実施の形態では電源投入時などの一定期間はＦＡＸモードにしておき、操作パネル部２３から入力があるとファクシミリとして動作する。一定期間経過後はＦＡＸモデムモードに切り替え、パーソナルコンピュータ１から入力があるとＦＡＸモデムとして動作し、操作パネル部２３からの入力があるとＦＡＸモードに切り替えてファクシミリとして動作する。このようなモードの切り替えは自動的に行われ、操作パネル部２３から入力すればファクシミリ動作ができ、パーソナルコンピュータ１から入力すれば、ファクシミリ装置２はＦＡＸモデムとして働くので操作者にとって極めて使いよい装置となっている。
【００３０】
次に第４実施の形態を図５の動作フロー図を用いて説明する。
第３実施の形態で示したように通常はＦＡＸモデムモードになっている。この状態でパーソナルコンピュータ１からの入力を監視し入力が発呼要求の「ＡＴＤ」と電話番号ＸＹＺである場合（Ｓ３０）、この電話番号ＸＹＺが、ファクシミリ装置自身の電話番号であるか否かを調べる（Ｓ３１）。自身の電話番号である場合はパーソナルコンピュータ１からのデータを記録部２８から印刷して出力し（Ｓ３２）、データの全てを印刷して終了する（Ｓ３４）。自身の電話番号でない場合は、指示された電話番号で発呼処理を行い、ＦＡＸモデムとして動作する（Ｓ３３）。
【００３１】
本実施の形態ではパーソナルコンピュータ１よりファクシミリ装置自身の電話番号とデータを送出することにより、記録部２８でデータの印刷を行い、ファクシミリ装置２をプリンタとして使用できる。この際ファクシミリ装置自身の電話番号という通常用いない信号で指示するので、他の動作との誤動作を防止できる。また、外部に発信したいときは相手の電話番号を指示すればよく、このようにプリント指示や外部との通信指示を簡単に行うことができる。
【００３２】
【発明の効果】
以上の説明より明らかなように、本発明は、ファクシミリモデムの機能を有し、パーソナルコンピュータと接続されたファクシミリ装置において次の動作を簡単に行うことができる。
▲１▼操作パネルにパーソナルコンピュータへの転送指示を入力するという簡単な操作だけで、ファクシミリ装置をパーソナルコンピュータのスキャナとして使用することができる。
▲２▼操作パネルにファクシミリ装置自身の電話番号を入力するという簡単な操作で、ファクシミリ装置をパーソナルコンピュータのスキャナとして使用できる。また自身の電話番号という通常使用されない信号により判断するので、他の動作との誤動作を防止できる。
【００３３】
▲３▼操作パネルに入力があればＦＡＸモードとし、なければＦＡＸモデムモードとすることにより、モード切り替えに特別な操作を必要としない。
▲４▼  ▲３▼の場合であっても電源立ち上げ時などの一定期間はＦＡＸモードにすることにより、電源立ち上げ時によく使用されるファクシミリ通信の要求に適合することができる。
▲５▼パーソナルコンピュータからファクシミリ装置自身の電話番号とデータを送出することによってそのデータを印刷する。これによりパーソナルコンピュータは特別な操作をすることなくファクシミリ装置をプリンタとして使用でき、かつファクシミリ装置自身の電話番号という特別な信号により判断するので他の動作との誤動作を防止できる。
【図面の簡単な説明】
【図１】本発明を実施するファクシミリ装置の構成を示す図
【図２】第１実施の形態の動作フロー図
【図３】第２実施の形態の動作フロー図
【図４】第３実施の形態の動作フロー図
【図５】第４実施の形態の動作フロー図
【図６】パーソナルコンピュータとファクシミリ装置の接続の方法を説明する図
【符号の説明】
１  パーソナルコンピュータ
２  ファクシミリ装置
３  公衆回線
２１  ＣＰＵ
２２  ＲＯＭ／ＲＡＭ
２３  操作パネル部
２４  モデム
２５  ＰＣインタフェース
２６  メカ制御部
２７  読取部
２８  記録部
【図１】
0003641070.tif 000002
【図２】
0003641070.tif 000003
【図３】
0003641070.tif 000004
【図４】
0003641070.tif 000005
【図５】
0003641070.tif 000006
【図６】
0003641070.tif 000007